(57)【要約】      （修正有）【課題】異常が感知された現場の管理者が適切な通報先への通報操作を容易に行うのを可能とする技術を提供する。【解決手段】端末装置の制御部４１０は、異常感知器により異常が感知されたとき、異常を感知した異常感知器が設置された施設に対応した通報先の情報を取得する通報先情報取得部４１３と、通報操作を示すソフトウェアボタンを表示手段に表示させる表示制御部４１２と、施設を管理する管理者により操作される操作部４４０に対しソフトウェアボタンの選択操作がなされたことを特定する操作特定部４１６と、操作手段に対しソフトウェアボタンの選択操作がなされたことが操作特定部によって特定されるのに応じて、通報先情報取得部により取得された通報先の情報に基づいて通報先への通報動作を行う通報部４１４とを有する。【選択図】図６
2018152121.tif 000002
【特許請求の範囲】
【請求項１】
監視対象の施設に設置された異常感知器を有する異常監視設備と、前記異常監視設備と通信可能で施設を管理する管理者が携帯する端末装置とを有する異常通報システムであって、
前記異常感知器により異常が感知されたとき、前記異常を感知した異常感知器が設置された施設に対応した通報先の情報を取得する通報先情報取得手段と、
通報操作を示すソフトウェアボタンを前記端末装置の表示手段に表示させる表示制御手段と、
前記施設を管理する管理者により操作される前記端末装置の操作手段に対し前記ソフトウェアボタンの選択操作がなされたことを特定する操作特定手段と、
前記操作手段に対し前記ソフトウェアボタンの選択操作がなされたことが前記操作特定手段によって特定されるのに応じて、前記通報先情報取得手段により取得された通報先の情報に基づいて通報先への通報動作を行う通報手段と
を有することを特徴とする異常通報システム。
【発明の詳細な説明】
【技術分野】
【０００１】
この発明は、異常通報システムに関する。
【背景技術】
【０００２】
特許文献１には、カメラを備えたカメラ付火災感知器からの信号により火災が発生したと判断されるときに、カメラ付火災感知器により撮影された映像を火災受信機及び火災受信機と双方向通信可能な携帯電話に表示することが記載されている。これにより、携帯電話の携帯者は、現場に駆けつけなくとも火災発生現場を確認でき、状況に応じた対応を行うことができる。
【先行技術文献】
【特許文献】
【０００３】
【特許文献１】特開２００３−２９６８３６号公報
【発明の概要】
【発明が解決しようとする課題】
【０００４】
しかしながら、携帯電話で火災発生現場の映像を確認するユーザが十分な訓練を受けていない場合など、ユーザがパニック状態になってしまい、適切な通報先へ通報を行うための通報操作を行うことができないことがある。
【０００５】
本発明は上述した背景の下になされたものであり、本発明の目的は、異常が感知された現場の管理者が適切な通報先への通報操作を容易に行うのを可能とする技術を提供することである。
【課題を解決するための手段】
【０００６】
上述した課題を解決するため、本発明によれば、監視対象の施設に設置された異常感知器を有する異常監視設備と、前記異常監視設備と通信可能で施設を管理する管理者が携帯する端末装置とを有する異常通報システムであって、前記異常感知器により異常が感知されたとき、前記異常を感知した異常感知器が設置された施設に対応した通報先の情報を取得する通報先情報取得手段と、通報操作を示すソフトウェアボタンを前記端末装置の表示手段に表示させる表示制御手段と、前記施設を管理する管理者により操作される前記端末装置の操作手段に対し前記ソフトウェアボタンの選択操作がなされたことを特定する操作特定手段と、前記操作手段に対し前記ソフトウェアボタンの選択操作がなされたことが前記操作特定手段によって特定されるのに応じて、前記通報先情報取得手段により取得された通報先の情報に基づいて通報先への通報動作を行う通報手段とを有することを特徴とする異常通報システムが提供される。
【発明の効果】
【０００７】
本発明に基づく異状通報システムによれば、監視対象施設において異常が感知されたときに、管理者は携帯する端末装置に表示される当該施設に対応した通報先に通報するためのソフトウェアボタンを操作するだけで、適切な通報先への通報を容易に行うことができる。
【図面の簡単な説明】
【０００８】
【図１】本発明の実施形態に係る火災通報システムの構成を示すシステム図。
【図２】火災報知設備の構成を示すシステム図。
【図３】カメラ付火災感知器の構成を示すブロック図。
【図４】火災受信機の構成を示すブロック図。
【図５】携帯電話の構成を示すブロック図。
【図６】携帯電話の制御部の機能構成を示すブロック図。
【図７】携帯電話の表示画面の一例を示す模式図。
【図８】火災感知時のユーザ端末の動作を示すフローチャート。
【図９】変形例１に係る火災通報システムの構成を示すシステム図。
【図１０】通報先情報管理テーブルの一例を示す図。
【発明を実施するための形態】
【０００９】
以下、図面を参照して、本発明の実施形態について説明する。図１は、本発明の実施形態に係る火災通報システム１の構成を示すシステム図である。火災通報システム１は、監視対象となる施設に設置された火災報知設備１００と、施設の管理者により携帯される携帯電話４００と、火災発生時の通報先となる消防機関５００とを含み、これら火災報知設備１００、携帯電話４００、及び消防機関５００は、通信網ＮＷを介して互いに通信可能となっている。火災報知設備１００が設置される監視対象の施設は、老人ホーム、グループホーム（病気や障害を抱えた人達や高齢者等が専門スタッフ等の援助を受けながら生活するための施設）、商業ビル、工場、一般家庭など、任意の施設であってよい。通信網ＮＷは、移動体通信網、固定電話通信網、インターネットなどの公知の任意の通信網を含んでよい。火災通報システム１は、本発明の異常通報システムの一例に相当するものであり、火災報知設備１００は本発明に係る異常監視設備の一例に相当するものであり、携帯電話４００は本発明に係る端末装置の一例に相当するものであり、消防機関５００は本発明に係る通報先の一例に相当するものである。消防機関５００は、火災通報等を受け付けるための電話機や端末（コンピュータ装置）を備えている。
【００１０】
図２は、火災報知設備１００の構成を示すシステム図である。図２に示すように、火災報知設備１００は、複数のカメラ付火災感知器２００と、これら火災感知器２００と信号線１５０を介して接続された火災受信機３００とを有する。
【００１１】
カメラ付火災感知器２００は、設置されたエリア（警戒区域）における煙の濃度や熱（温度）等の火災に関連する物理量を検知してデータとして出力する火災感知器としての機能を有する。また、カメラ付火災感知器２００は、設置されたエリアの所定の範囲を撮影して、撮影した映像を表す映像信号を出力するカメラとしての機能を有する。
【００１２】
図３は、カメラ付火災感知器２００の構成を示すブロック図である。カメラ付火災感知器２００は、制御部２１０、火災感知部２２０、アドレス設定部２３０、通信部２４０、カメラ２５０、及び回動部２６０を有し、これら各部はバス２７０を介して通信可能に接続されている。
【００１３】
制御部２１０は、ＣＰＵ（Central Processing Unit）、ＲＯＭ（Read Only Memory）及びＲＡＭ（Random Access Memory）を備え、ＣＰＵが、ＲＯＭに記憶されているプログラムをＲＡＭに読み出して実行することで、カメラ付火災感知器２００の各部を制御し、カメラ付火災感知器２００の様々な機能を実現する。火災感知部２２０は、熱等の火災に関連する物理量に基づく情報（「感知信号」と言う）を出力する。火災感知部２２０は、例えば、熱（温度）を検知する熱センサ、煙を検知する煙センサ、または炎を検知する炎センサであってよく、あるいは、これらセンサの２以上の機能を合わせ持つ複合型センサであってよい。これらセンサは、感知信号として、検知される物理量（例えば温度）に応じて変化する信号を出力するタイプ（可変出力型と言う）でもよいし、検知した物理量が所定の条件を満たしたら（例えば、検知した温度が所定の温度を越えたら）、火災発生を示す所定の信号を出力する（「発報」と言う）タイプ（オンオフ型と言う）であってもよい。
【００１４】
アドレス設定部２３０は、カメラ付火災感知器２００のアドレスを設定するものであり、各カメラ付火災感知器２００毎に個々のアドレスＡＤが設定される。通信部２４０は、信号線１５０を介して、火災受信機３００と各種信号の送受信を行う。カメラ２５０は、例えば、デジタルビデオカメラであり、カメラ付火災感知器２００が設けられた警戒区域を撮影する。カメラ２５０により撮影された映像は映像信号として出力され、通信部２４０により信号線１５０を介して火災受信機３００に伝送される。回動部２６０はカメラ２５０を支持し、火災受信機３００からの制御命令によって回動し、カメラ２５０の撮影方向を変化させる。尚、カメラ２５０からの映像信号の伝送が、火災感知部２２０からの火災に関連する物理量を表す情報（感知信号）の伝送を妨げないように、カメラ２５０からの映像信号と火災感知部２２０からの感知信号とを、異なる信号線を介して火災受信機３００に伝送してもよい。
【００１５】
図４は、火災受信機３００の構成を示すブロック図である。図４に示すように、火災受信機３００は、制御部３１０、記憶部３２０、表示部３３０、操作部３４０、第１通信部３５０、及び第２通信部３６０を有し、これら各部はバス３７０を介して通信可能に接続されている。
【００１６】
制御部３１０は、ＣＰＵ、ＲＯＭ及びＲＡＭを備え、ＣＰＵが、ＲＯＭや記憶部３２０に記憶されているプログラムをＲＡＭに読み出して実行することで、火災受信機３００の各部を制御し、火災受信機３００の様々な機能を実現する。
【００１７】
記憶部３２０は、例えばハードディスクやフラッシュメモリなどの大容量の記憶手段であり、各種のプログラムやデータを記憶する。記憶部３２０に格納されるデータには、各カメラ付火災感知器２００に個別に付与されているアドレスＡＤに対応付けられた感知器種別ＩＤ、プレレベルＳＰ、火災判別レベルＳＦ、及び警戒区域の識別情報等が含まれる。ここで、プレレベルＳＰ及び火災判別レベルＳＦとは、カメラ付火災感知器２００が可変出力型のセンサを有するものである場合に、火災受信機３００が、そのカメラ付火災感知器２００からの感知信号と比較する閾値であり、感知器種別や設置場所等によって異なり得る。プレレベルＳＰは予報レベルの火災を感知するための閾値であり、火災判別レベルＳＦは火災警報レベルの火災発生を感知するための閾値である。予報レベルの火災感知より、火災警報レベルの火災感知の方が、火災発生の確実さの度合いが高い。例えば、プレレベルＳＰ＜火災判別レベルＳＦとなるようにプレレベルＳＰ及び火災判別レベルＳＦを設定し、カメラ付火災感知器２００からの感知信号がプレレベルＳＰを越える場合、火災受信機３００は、予報レベルの火災が感知された（または、火災発生が疑われる）と判定し、火災判別レベルＳＦを越える場合、火災警報レベルの火災が感知されたと判定してもよい。予報レベルの火災が感知されたと判定される場合、火災受信機３００は、その旨を表示部３３０に表示したり、後述するように携帯電話４００へ通報したりする。また、火災受信機３００は、火災警報レベルの火災が感知されたと判定すると、表示部３３０への表示や携帯電話４００への通報に加えて、消防機関５００への通報や施設内に設置された警報ベル（図示せず）を鳴らす等の処理を行う（火災受信機３００による火災警報レベルの火災が感知された旨の判定、及び／または、それに伴う処理を「発報」と言うこともある）。尚、カメラ付火災感知器２００がオンオフ型の場合、そのカメラ付火災感知器２００のアドレスＡＤに対しては、プレレベルＳＰ及び火災判別レベルＳＦは設定しなくてよい。オンオフ型の火災感知器２００から、当該火災感知器２００が発報したことを示す信号を受信した場合、火災受信機３００は火災警報レベルの火災が発生したと判定する。
【００１８】
また、記憶部３２０には、各カメラ付火災感知器２００の状態を表す信号の時系列データや、各カメラ付火災感知器２００のカメラ２５０からの映像信号が保存される。これらのデータは、例えば３日分など、予め定められた期間分保存され、常に最新のデータが保存されるように更新してよい。また、過去のデータを消去することなく、予め定められた期間毎に、光記録媒体などの媒体に格納したり、通信網ＮＷに接続された外部のサーバ装置等に転送して格納してもよい。
【００１９】
表示部３３０は、例えば液晶ディスプレイであり、制御部３１０からの指示に基づいて、様々な情報を表示する。例えば、火災の発生していない通常状態では、表示部３３０には、「通常監視中」等、通常状態であることを示す文字情報が表示される。火災発生時には、表示部３３０には、火災を感知した（例えば、発報した）カメラ付火災感知器２００のアドレスＡＤや当該カメラ付火災感知器２００が設置されている警戒区域を示す火災情報（文字情報）が表示されるとともに、火災を感知したカメラ付火災感知器２００のカメラ２５０により撮影された映像が文字情報に重ねて表示される。
【００２０】
操作部３４０は、カメラオンスイッチＯＳ、テンキーＴＫ、方向キーＨＫ等の各種入力スイッチにより構成され、火災報知設備１００の管理者等による操作の内容に応じた操作信号を制御部３１０に送出する。カメラオンスイッチＯＳをオンすることで、制御部３１０は、テンキーＴＫ、方向キーＨＫによる入力を有効とする。カメラオンスイッチＯＳをオンして、テンキーＴＫでカメラ付火災感知器２００のアドレスＡＤを入力すると、アドレスＡＤにより指定されたカメラ付火災感知器２００のカメラ２５０の映像が、表示部３３０に表示される。そして、方向キーＨＫを操作することにより、回動部２６０を介してカメラ２５０を回動させ、カメラ２５０により撮影される警戒区域の撮影方向の変更を行う。
【００２１】
第１通信部３５０は、火災報知設備１００の外部の通信網ＮＷを介して携帯電話４００や消防機関５００と通信するためのインタフェースであり、例えば、一般加入電話端末の機能を有する。第２通信部３６０は、信号線１５０を介して火災感知器２００とデータの授受を行うためのインタフェースである。
【００２２】
火災受信機３００の制御部３１０の動作について説明する。火災受信機３００の制御部３１０は、通常監視中、ポーリング方式により、カメラ付火災感知器２００を呼び出す制御信号「アドレスＡＤ・返送命令」を、第２通信部３６０を介して信号線１５０に伝送する。ここで、アドレスＡＤは、感知信号を返送すべきカメラ付火災感知器２００のアドレスである。この制御信号に対して、アドレスＡＤに対応するカメラ付火災感知器２００が応答し、自身のアドレスＡＤと感知信号を含む返送信号「アドレスＡＤ・感知信号」を信号線１５０に送出する。火災受信機３００はその返送信号を受信し、当該返送信号に含まれる感知信号に基づいて、火災が感知されたか否かを判定する。このポーリング動作は、火災受信機３００が監視する全てのカメラ付火災感知器２００に対して順になされる。
【００２３】
ここで、カメラ付火災感知器２００が可変出力型の火災感知器の場合、火災受信機３００の制御部３１０は、カメラ付火災感知器２００からの出力信号（感知信号）が当該カメラ付火災感知器２００に関連付けられたプレレベルＳＰを越えた場合、予報レベルの火災が感知されたと判定する。この場合において、出力信号がプレレベルＳＰを越えたカメラ付火災感知器２００を、火災を感知したカメラ付火災感知器と言う。カメラ付火災感知器２００がオンオフ型の火災感知器の場合、カメラ付火災感知器２００が発報したことを示す信号を受け取ると、火災受信機３００の制御部３１０は、火災警報レベルの火災が感知されたと判定する。この場合において、発報したカメラ付火災感知器２００を火災を感知したカメラ付火災感知器と言う。以下の説明において、特に断らない場合、カメラ付火災感知器２００による火災の感知とは、予報レベルの火災の感知と、火災警報レベルの火災の感知のいずれも含むものとする。
【００２４】
火災受信機３００の制御部３１０は、ポーリング動作中に、カメラ付火災感知器２００からの感知信号に基づき火災が感知されたと判定されると、火災を感知したカメラ付火災感知器２００に、制御信号「アドレスＡＤ・映像信号送出命令」を、信号線１５０を介して伝送する。ここで、アドレスＡＤは、火災を感知したカメラ付火災感知器２００のアドレスである。この制御信号に対して、アドレスＡＤに対応するカメラ付火災感知器２００が応答し、自身のアドレスＡＤとカメラ２５０により撮影された警戒区域の映像を表す映像信号を含む返送信号「アドレスＡＤ・映像信号」を信号線１５０に送出する。火災受信機３００の制御部３１０はこの返送信号を受信し、カメラ２５０により撮影された警戒区域の映像（映像情報）を火災情報に重ねて表示部３３０に表示させる。
【００２５】
また、火災受信機３００の制御部３１０は、カメラ２５０により撮影された警戒区域の映像を携帯電話４００の表示部４３０に表示させるべく、通信網ＮＷを介して、表示命令を携帯電話４００に送信する。表示命令は、例えば、通信網ＮＷに含まれる移動通信網を介して携帯電話４００に送信される。表示命令には、カメラ２５０により撮影された映像を表す映像信号に加えて、火災受信機３００（火災報知設備１００）が設置されている施設を識別する施設識別情報、当該施設の位置を示す位置情報、火災を感知した火災感知器２００の設置場所（警戒区域）を示す場所情報、火災が感知された日時を示す日時情報等が含まれる。施設識別情報は、例えば、施設の名称、施設に設置された電話の電話番号など、施設を特定できる情報であればよく、火災受信機３００の記憶部３２０に予め格納される。施設の位置情報は、施設の住所であり、施設識別情報に関連付けて記憶部３２０に予め格納されている。カメラ付火災感知器２００の設置場所（警戒区域）を示す場所情報は、例えば、施設がグループホームの場合、部屋番号であってよく、一般家庭の場合、「台所」、「バスルーム」などであってよく、カメラ付火災感知器２００のアドレスＡＤに対応付けて記憶部３２０に格納されている。
【００２６】
図５は、携帯電話４００の構成を示すブロック図である。図５に示すように、携帯電話４００は、制御部４１０、記憶部４２０、表示部４３０、操作部４４０、通信部４５０、マイクロフォン（以下、マイクと言う）４６０、及びスピーカ４７０を有し、これら各部はバス４８０を介して通信可能に接続されている。
【００２７】
制御部４１０は、ＣＰＵ、ＲＯＭ及びＲＡＭを備え、ＣＰＵが、ＲＯＭや記憶部４２０に記憶されているプログラムをＲＡＭに読み出して実行することで、携帯電話４００の各部を制御し、携帯電話４００の様々な機能を実現する。記憶部４２０は、例えばハードディスクやフラッシュメモリなどの大容量の記憶手段であり、各種のプログラムやデータを記憶する。表示部４３０は、例えば液晶ディスプレイであり、制御部４１０からの指示に基づいて、様々な情報を表示する。火災発生時には、後に詳述するように、火災受信機３００からの表示命令に応じて、火災を感知したカメラ付火災感知器２００のカメラ２５０により撮影された映像が、他の情報とともに表示される。
【００２８】
操作部４４０は、携帯電話４００のユーザ（例えば、監視対象の施設の管理者）による操作の内容に応じた操作信号を制御部４１０に送出する。本例において、操作部４４０は、表示部４３０の表示面に重ねて配置され、表示部４３０と共にタッチパネルを構成するタッチパッド（位置検出センサ）４４１を有する。タッチパッド４４１は、ユーザによりタッチされた表示部４３０の画面の位置を検出するものであり、静電容量方式、抵抗膜方式、赤外線方式、超音波方式など公知の任意の方式のものであってよい。通信部４５０は、通信網ＮＷを介して火災報知設備１００や消防機関５００と通信するためのインタフェースである。通信部４５０は、制御部４１０の制御の下、例えば、電話回線（移動体電話回線及び固定電話回線）を介して火災報知設備１００から火災感知器２００のカメラ２５０で取得した映像信号を受信したり、消防機関５００に電話回線やインターネットを介して情報を送信したりする。
【００２９】
マイク４６０は、携帯電話４００を用いてユーザが電話をするときに、ユーザの音声を収音して音声信号に変換する。スピーカ４７０は、携帯電話４００を用いてユーザが電話をするときに、通話相手の音声信号を音に変換して出力する。
【００３０】
図６は、携帯電話４００の制御部４１０の機能構成を示すブロック図である。図６に示すように、制御部４１０は、受信部４１１、表示制御部４１２、通報先情報取得部４１３、通報部４１４、音声合成部４１５、及び操作特定部４１６を有する。受信部４１１は、火災報知設備１００のカメラ付火災感知器２００によって火災が感知されたとき、火災報知設備１００の火災受信機３００から送信される表示命令を、通信部４５０を介して受信する。表示命令には、上記したように、火災を感知したカメラ付火災感知器２００のカメラ２５０により撮影された映像を表す映像信号、施設識別情報（例えば、施設名）、当該施設の位置情報（住所）、火災を感知した火災感知器２００の場所情報、火災感知日時等が含まれる。受信部４１１は、受信した映像信号及び各情報を表示制御部４１２に送り、表示制御部４１２は、表示部４３０を制御して受信部４１１から受信した映像信号及び各情報に基づいた表示を行う。受信部４１１は、本発明に係る位置情報取得手段、設置場所情報取得手段の一例に相当する。
【００３１】
図７は、火災受信機３００からの表示命令に基づいて携帯電話４００の表示部４３０に表示される画面の一例を示す模式図である。図７に示すように、表示部４３０の表示画面は、情報表示エリア４３１、映像表示エリア４３２、及び操作エリア４３３の３つのエリアに分けられている。最上段の情報表示エリア４３１には、表示命令に含まれる火災が感知された施設名、当該施設の住所、感知器の設置場所（部屋番号）、火災感知日時が表示される。中央の映像表示エリア４３２には、火災を感知したカメラ付火災感知器２００のカメラ２５０により撮影された映像が表示される。最下段の操作エリア４３３には、通報操作を示す表示が表示される。本例において、通報操作を示す表示は、「通報」の文字を含むソフトウェアボタン４３４である。ここで、ソフトウェアボタンとは、表示部４３０に表示される画像であり、例えばタッチパッド４４１により検出されるユーザによるタッチ操作により選択される。ユーザ操作によりソフトウェアボタンが選択されると、制御部４１０は、そのソフトウェアボタンに割り当てられた指示（「通報」ソフトウェアボタンの場合、通報動作の指示）がユーザによりなされたと解釈する。
【００３２】
また、操作エリア４３３には、撮影した映像が映像表示エリア４３２に表示されたカメラ付火災感知器２００のカメラ２５０を操作するための矢印ボタン４３５が表示される。携帯電話４００のユーザが矢印ボタン４３５をタッチすると、それに応じた操作信号が、携帯電話４００から通信網ＮＷを介して火災報知設備１００の火災受信機３００に送信され、火災受信機３００では、携帯電話４００から受信した操作信号に基づいて、携帯電話４００に映像が表示されているカメラ２５０に対応した回動部２６０を操作する。これにより、ユーザがタッチした矢印ボタン４３５に応じた方向にカメラ２５０の向きが移動される。
【００３３】
図６を再度参照すると、受信部４１１は、通信部４５０を介して受信した表示命令に含まれる情報のうち、施設識別情報を通報先情報取得部４１３に供給する。通報先情報取得部４１３は、記憶部４２０を参照し、記憶部４２０に施設識別情報に関連付けて予め記憶された通報先の情報を取得する。通報先の情報は、例えば、施設が位置するエリアを管轄する消防機関５００の電話番号や電子メールアドレス（単にメールアドレスと言うこともある）である。通報先情報取得部４１３は、取得した通報先の情報を通報部４１４に送る。尚、記憶部４２０に予め格納された施設識別情報に対応する連絡先の情報は、携帯電話４００のユーザが設定／変更してよい。
【００３４】
また、受信部４１１は、通信部４５０を介して受信した表示命令に含まれる情報のうち、施設名、施設の位置情報（住所）、火災を感知した火災感知器２００の場所情報、火災感知日時を音声合成部４１５に送る。音声合成部は、受信部４１１から受信したこれらの情報を音声により表す音声信号を生成し、通報部４１４に供給する。
【００３５】
操作特定部４１６は、操作部４４０からの操作信号を受信し、表示部４３０に表示された通報操作を示す表示に基づいた操作がユーザによってなされたか否かを判定する。通報操作を示す表示がユーザによってなされたと判定される場合、操作特定部４１６は、そのことを示す情報を通報部４１４に送る。図７に示した例では、通報操作を示す表示は「通報」ソフトウェアボタン４３４であるので、操作特定部４１６は、ユーザにより「通報」ソフトウェアボタン４３４のタッチ操作がなされたと判定される場合、通報操作を示す表示に基づいた操作がなされたと判定し、そのことを示す情報を通報部４１４に送る。
【００３６】
通報部４１４は、通報操作を示す表示に基づく操作がユーザによってなされたことを示す情報を操作特定部４１６から受け取ると、通信部４５０を制御して、通報先情報取得部４１３により取得された通報先情報に基づいて通報動作を行う。例えば、通報先の情報が通報先の電話番号である場合、通報部４１４は通報動作として当該電話番号に電話をかける。また、通報先に電話がつながると、通報部４１４は、音声合成部４１５により生成された音声信号を電話回線を通じて通報先に送信する。通報先では、受信した音声信号に基づき音を再生することにより、いつどこで火災が発生したかを把握し、適切な行動を取ることができる。
【００３７】
図８は、火災感知時の携帯電話４００の動作を示すフローチャートである。カメラ付火災感知器２００のいずれかにより火災が感知されると、火災受信機３００の制御部３１０から、カメラ付火災感知器２００のカメラ２５０により得られた映像信号を含む表示命令が携帯電話４００に送られ、当該表示命令は携帯電話４００の受信部４１１により受信される（ステップＳ１）。表示命令が受信されると、携帯電話４００の表示制御部４１２は、受信した表示命令に含まれる映像信号に基づく映像を表示部４３０に表示させる（ステップＳ２）。このとき、表示部４３０には、カメラ２５０により撮影された映像の表示とともに、通報操作を示す表示（例えば、図７の「通報」ソフトウェアボタン）が表示される。
【００３８】
ステップＳ３において、携帯電話４００の操作特定部４１６は、表示部４３０に表示された通報操作を示す表示に基づく通報操作がなされたか判定する。当該通報操作がなされたと判定された場合（ステップＳ３：ＹＥＳ）、ステップＳ４に進み、そうでない場合（ステップＳ３：ＮＯ）、当該通報操作がなされるのを待つ。
【００３９】
ステップＳ４では、通報先情報取得部４１３が、受信部４１１が受信した表示命令に含まれる施設識別情報に対応する通報先の情報を取得する。ステップＳ５では、ステップＳ４で取得した通報先の情報に基づいて、通報部４１４が通報動作を行う。尚、通報動作を行ったときに表示部４３０に表示されていた画像を、記憶部４２０に格納してもよい。これにより、後に、通報がなされたときの現場の様子を確認することができる。
【００４０】
上述したように、本実施形態の携帯電話４００は、監視対象の施設に設置されたカメラ付火災感知器２００により（予報レベルまたは火災警報レベルの）火災が感知されたとき、カメラ付火災感知器２００により撮影された映像を表す映像信号を受信し、当該映像と共に通報操作を示す表示を表示部４３０に表示させる。また、操作部４４０に対して通報操作を示す表示に従った操作がなされるのに応じて予め設定された通報動作を行う。従って、火災の通知を受けた携帯電話４００のユーザは、急な火災の発生に気が動転していても、通報操作を示す表示に従った操作を行うことで簡単に通報を行うことができる。また、携帯電話４００は、火災を感知したカメラ付火災感知器２００が設置された施設に対応した連絡先の情報に基づいて通報動作を行うので、携帯電話４００のユーザが施設から離れた所（例えば、別の県など）にいる場合でも、施設の火災に対処するのに最も適した通報先（例えば、施設が属するエリアの管轄の消防機関５００）に通報することができる。
【００４１】
［変形例］
本発明は上述の実施形態に限定されるものではなく、種々の変形実施が可能である。以下、変形例をいくつか説明する。以下の変形例のうち、２つ以上のものが組み合わせて用いられてもよい。
【００４２】
（変形例１）
上述した実施形態では、監視対象の施設は一つであった。しかしながら、本発明はこれに限定されない。監視対象の施設は複数あってもよい。また、これら複数の監視対象施設は、異なる消防機関の管轄にあってもよい。
【００４３】
図９は、変形例１に係る火災通報システム１の構成を示すシステム図である。図９に示した火災通報システム１は、監視対象の施設が２つあり、それぞれに設置された火災報知設備１００Ａ、１００Ｂを有する点が図１に示した火災通報システム１と異なる。また、図９に示す火災通報システム１では、火災報知設備１００Ａが設置された施設は消防機関５００Ａの管轄にあり、火災報知設備１００Ｂが設置された施設は消防機関５００Ｂの管轄にあるものとする。即ち、火災報知設備１００Ａが設置された施設と火災報知設備１００Ｂが設置された施設とで、火災発生時の適切な通報先が異なる。この場合、携帯電話４００は、監視対象の各施設毎に通報先の情報を格納した通報先情報管理テーブルＴＢ１を記憶部４２０に格納しておくとよい。
【００４４】
図１０は、通報先情報管理テーブルＴＢ１の一例を示す模式図である。この例では、火災報知設備１００Ａが設置された施設を「ＡＡＡＡＡ」とし、火災報知設備１００Ｂが設置された施設を「ＢＢＢＢＢ」とする。図１０に示すように、施設「ＡＡＡＡＡ」と施設「ＢＢＢＢＢ」のそれぞれに番号「Ｎｏ．」が割り当てられ、また、通報先情報として、「通報先電話番号」、「通報先メールアドレス」、「通報先ＵＲＬ」が設定されている。「通報先ＵＲＬ」は、通報先のコンピュータ装置（データセンターなど）にデータ伝送により火災通報を行う際に用いられる。通報先に、コンピュータ装置がなく電話機しかない場合は、「通報先メールアドレス」及び「通報先ＵＲＬ」の欄は空欄でよい。
【００４５】
施設「ＡＡＡＡＡ」または施設「ＢＢＢＢＢ」に設置されたカメラ付火災感知器２００により火災が感知されると、携帯電話４００は、火災報知設備１００Ａまたは火災報知設備１００Ｂの火災受信機３００から、火災を感知したカメラ付火災感知器２００により取得された映像信号を含む表示命令を受信する。上述したように、この表示命令には、火災を感知した火災感知器２００が設置された施設を識別する施設識別情報（例えば、施設名）が含まれているので、携帯電話４００の通報先情報取得部４１３は、施設識別情報を用いて記憶部４２０に格納された通報先情報管理テーブルＴＢ１を参照して、施設識別情報に対応付けられた通報先情報を取得する。これにより、監視対象の施設が複数ある場合でも、携帯電話４００のユーザは、火災が感知された施設に対応した適切な通報先に通報することができる。
【００４６】
尚、通報先情報管理テーブルＴＢ１は、携帯電話４００の記憶部４２０以外の場所に格納されてもよい。例えば、通信網ＮＷに接続されたサーバ装置（図示せず）に格納し、携帯電話４００は、このサーバ装置に施設識別情報を送信して通信先情報をリクエストし、その応答として、施設識別情報に対応付けられた通報先の情報をサーバ装置から取得してもよい。あるいは、火災報知設備１００Ａの火災受信機３００の記憶部３２０に施設「ＡＡＡＡＡ」に対応する通報先情報を格納し、火災報知設備１００Ｂの火災受信機３００の記憶部３２０に施設「ＢＢＢＢＢ」に対応する通報先情報を格納するというように、通報先情報管理テーブルＴＢ１の内容を分割して格納してもよい。その場合、カメラ付火災感知器２００により火災が感知されたとき、火災受信機３００は、当該カメラ付火災感知器２００が設置された施設に対応する通報先情報を記憶部３２０に格納されたデータから抽出して、表示命令と共に（あるいは、表示命令に含めて）携帯電話４００に送信する。携帯電話４００の受信部４１１は受信した通報先情報を通報部４１４に送る。従って、この場合、受信部４１１が通報先情報取得手段として働く。
【００４７】
尚、図９に示した例では、監視対象の施設は２つであるが、監視対象の施設の数は２より多くてもよく、特に限定されない。
【００４８】
（変形例２）
上述した実施形態では、火災報知設備１００（火災受信機３００）は１台の携帯電話４００に火災が感知されたことの通報（カメラ付火災感知器２００で撮影された映像の送信）を行ったが、本発明はこれに限定されない。複数台の携帯電話４００にカメラ付火災感知器２００で撮影された映像の送信を行ってもよい。また、カメラ付火災感知器２００で撮影された映像が送信される端末装置は、携帯電話に限らず、タブレット型端末やノートパソコンなどの携帯電話以外のモバイル端末であってもよい。あるいは、端末装置は据え置き型のコンピュータ装置であってもよい。火災受信機３００から送信されるカメラ付火災感知器２００で撮影された映像を表示できればよい。尚、端末装置が電話機能を有さない場合、ユーザにより通報動作が指示されると、端末装置は電子メールやその他のデータ伝送により通報を行えばよい。電子メールやデータ伝送により火災通報を行う場合、携帯電話４００は、火災受信機３００から送られてきた映像信号を通報先に転送してもよい。あるいは、通報時に表示部４３０に表示されている画像（静止画）を送信してもよい。
【００４９】
（変形例３）
上記実施形態では、異常感知器としてカメラ付火災感知器２００を用いたが、本発明はこれに限定されない。カメラ２５０を火災感知器とは別体としてもよく、要は、火災感知器が設置されたエリアをカメラ２５０で撮影できるようにカメラ２５０が火災感知器に関連付けて設置されていればよい。
【００５０】
また、異常感知器は、例えばガス感知器や不法侵入感知器のような火災感知器以外の感知器でもよい。
【００５１】
（変形例４）
上記実施形態では、携帯電話４００の表示部４３０に、火災を感知したカメラ付火災感知器２００により撮影された映像と共に表示される通報操作を示す表示として、「通報」ソフトウェアボタンを表示したが、本発明はこれに限定されない。例えば、携帯電話４００がテンキーなどのハードキーを備えている場合、「テンキーをどれでも押せば通報します」といった通報操作の案内の表示であってもよい。
【００５２】
（変形例５）
上記実施形態では、携帯電話４００の通報部４１４は、通報動作として、通報先の電話番号に電話をかけ、通報先に電話がつながると、音声合成部４１５により生成された音声信号を電話回線を通じて通報先に送信した。しかしながら、本発明はこれに限定されない。例えば、音声信号の送信を行わなくてもよい。その場合、携帯電話４００のユーザが火災の発生日時、場所等を説明する。このとき、携帯電話４００の表示部４３０に、火災発生日時、火災が発生した施設の名称及び住所、火災を感知した火災感知器２００の設置場所等の情報が表示されていると、ユーザによる説明が容易になる。また、電話によらず、電子メールの送信あるいは他のインターネットを介したデータ伝送により火災の発生日時、場所等を送信し、通報を行ってもよい。
【００５３】
（変形例６）
上記実施形態では、監視対象となる施設の施設名及び当該施設の位置を示す位置情報を示す場所情報を、火災受信機３００の記憶部３２０に格納しておき、火災が感知されたとき、これら情報を表示命令に含ませて携帯電話４００に送信した。しかしながら、本発明はこれに限定されない。例えば、図１０に示した管理テーブルＴＢ１において各施設に対応付けられた番号を施設識別情報として、火災受信機３００から携帯電話４００に送信し、携帯電話４００では、受信した施設識別情報からテーブルＴＢ１を参照して施設名を取得してもよい。また、管理テーブルＴＢ１に、施設の位置情報の欄を設け、施設識別情報（「Ｎｏ．」）に対応付けて位置情報を格納しておけば、携帯電話４００側で、火災受信機３００から送られてくる施設識別情報を用いて管理テーブルＴＢ１を参照し、施設の位置情報を取得することができる。
【００５４】
カメラ付火災感知器２００の設置場所（警戒区域）を示す場所情報についても同様である。即ち、火災報知設備１００の各カメラ付火災感知器２００の場所情報を、各カメラ付火災感知器２００の識別情報に関連付けて携帯電話４００の記憶部４２０に格納しておき、火災感知時、火災受信機３００から火災を感知したカメラ付火災感知器２００の識別情報を携帯電話４００に送り、携帯電話４００側で記憶部４２０を参照し、受信した識別情報に対応付けられたカメラ付火災感知器２００の場所情報を取得してもよい。
【００５５】
（変形例７）
制御部４１０の機能を実現するプログラムは、磁気記録媒体（磁気テープ、磁気ディスク（ＨＤＤ、ＦＤ（Flexible Disk））など）、光記録媒体（光ディスク（ＣＤ（CompactDisc）、ＤＶＤ（Digital Versatile Disk））など）、光磁気記録媒体、半導体メモリなどのコンピュータ読み取り可能な記録媒体に記憶した状態で提供し、携帯電話等の端末装置にインストールしてもよい。また、通信回線を介してダウンロードして端末装置にインストールしてもよい。
【符号の説明】
【００５６】
１…火災通報システム、１００、１００Ａ、１００Ｂ…火災報知設備、１５０…信号線、２００…カメラ付火災感知器、２１０…制御部、２２０…火災感知部、２３０…アドレス設定部、２４０…通信部、２５０…カメラ、２６０…回動部、２７０…バス、３００…火災受信機、３１０…制御部、３２０…記憶部、３３０…表示部、３４０…操作部、３５０…第１通信部、３６０…第２通信部、３７０…バス、４００…携帯電話、４１０…制御部、４１１…受信部、４１２…表示制御部、４１３…通報先情報取得部、４１４…通報部、４１５…音声合成部、４１６…操作特定部、４２０…記憶部、４３０…表示部、４３１…情報表示エリア、４３２…映像表示エリア、４３３…操作エリア、４３４…ソフトウェアボタン、４３５…矢印ボタン、４４０…操作部、４５０…通信部、４６０…マイクロフォン、４７０…スピーカ、４８０…バス、５００、５００Ａ、５００Ｂ…消防機関、ＮＷ…通信網、ＴＢ１…通報先情報管理テーブル
【図１】
2018152121.tif 000003
【図２】
2018152121.tif 000004
【図３】
2018152121.tif 000005
【図４】
2018152121.tif 000006
【図５】
2018152121.tif 000007
【図６】
2018152121.tif 000008
【図７】
2018152121.tif 000009
【図８】
2018152121.tif 000010
【図９】
2018152121.tif 000011
【図１０】
2018152121.tif 000012